Podtech/llm-jp-corpus-v4-ja_patent huggingface dataset:
【手続補正書】
【提出日】平成28年9月21日(2016.9.21)
【手続補正１】
【補正対象書類名】特許請求の範囲
【補正対象項目名】全文
【補正方法】変更
【補正の内容】
【特許請求の範囲】
【請求項１】
第１方向に延長されている単一の選択線と；
前記第１方向と交差している第２方向に配列されている、第１の垂直に積層されたメモリセルストリング及び第２の垂直に積層されたメモリセルストリングであって、前記単一の選択線に共通して接続された、第１の垂直に積層されたメモリセルストリング及び第２の垂直に積層されたメモリセルストリングと；
前記第２方向に延長されている第１ビット線及び第２ビット線であって、前記第１ビット線が、前記第１方向に前記第２ビット線から離間されている、第１ビット線及び第２ビット線と；
前記第１の垂直に積層されたメモリセルストリングを前記第１ビット線に接続する第１サブインターコネクションと；
前記第２の垂直に積層されたメモリセルストリングを前記第２ビット線に接続する第２サブインターコネクションと；
を含み、
前記垂直に積層されたメモリセルストリングが、それぞれ、異なるビット線に接続されている、半導体装置。
【請求項２】
前記単一の選択線、前記サブインターコネクション及び前記ビット線が、基板上で連続して提供され、
前記垂直に積層されたメモリセルストリングが、前記基板に接続され、
前記ビット線が、前記垂直に積層されたメモリセルストリング上に提供され、
前記サブインターコネクションが、前記垂直に積層されたメモリセルストリングと前記ビット線との間に提供される、請求項１に記載の装置。
【請求項３】
前記サブインターコネクションの各々が、長軸及び短軸を有し、
前記サブインターコネクションの各々の中央部が、前記短軸に沿って前記第１方向に突出しており、
前記長軸が、前記第２方向に延長されている、請求項１に記載の装置。
【請求項４】
第１方向に延長されている第１選択線及び第２選択線であって、前記第１方向と交差している第２方向に互いに離間されている、第１選択線及び第２選択線と；
前記第２方向に配列されている第１の垂直に積層されたメモリセルストリング及び第２の垂直に積層されたメモリセルストリングであって、前記第１の垂直に積層されたメモリストリングが、前記第１選択線に接続され、前記第２の垂直に積層されたメモリセルストリングが、前記第２選択線に接続される、第１の垂直に積層されたメモリセルストリング及び第２の垂直に積層されたメモリセルストリングと；
前記第２方向に延長されているビット線と；
前記第１の垂直に積層されたメモリセルストリング及び前記第２の垂直に積層されたメモリセルストリングを前記ビット線に接続する、前記第２方向に延長されている単体サブインターコネクションであって、前記第１の垂直に積層されたメモリセルストリングに接続された一つの末端部、及び前記第２の垂直に積層されたメモリセルストリングに接続された他の一つの末端部を有する、単体サブインターコネクションと；
を含む、半導体装置。
【請求項５】
前記サブインターコネクションが、長軸及び短軸を有し、
前記単体サブインターコネクションの中央部が、前記短軸に沿って前記第１方向に突出しており、
前記長軸が、前記第２方向に延長されている、請求項４に記載の装置。
【請求項６】
前記第１方向に延長されている分離絶縁層をさらに含み、前記分離絶縁層が、前記第１選択線と前記第２選択線との間に提供される、請求項５に記載の装置。
【請求項７】
前記単体サブインターコネクションの前記中央部が、前記分離絶縁層と垂直に重なっている、請求項６に記載の装置。
【請求項８】
前記単体サブインターコネクションが、前記サブインターコネクションの前記中央部を介して前記ビット線に接続される、請求項６に記載の装置。
【請求項９】
前記垂直に積層されたメモリセルストリングを前記単体サブインターコネクションに接続する第１コンタクトと；
前記単体サブインターコネクションを前記ビット線に接続する第２コンタクトと、をさらに含む、請求項５に記載の装置。
【請求項１０】
前記第２コンタクトが、前記第１方向に沿って前記第１コンタクトからシフトされている、請求項９に記載の装置。
【請求項１１】
第１方向に延長されている第１選択線、第２選択線及び第３選択線であって、前記第１方向と交差している第２方向に互いに離間されている、第１選択線、第２選択線及び第３選択線と；
前記第２方向に配列されている、第１垂直柱、第２垂直柱、第３垂直柱及び第４垂直柱であって、前記第１垂直柱が、前記第１選択線に接続され、前記第２垂直柱及び前記第３垂直柱が、前記第２選択線に共通して接続され、前記第４垂直柱が、前記第３選択線に接続される、第１垂直柱、第２垂直柱、第３垂直柱及び第４垂直柱と；
前記第２方向に延長されている第１ビット線及び第２ビット線であって、前記第１ビット線が、前記第１方向に前記第２ビット線から離間されている、第１ビット線及び第２ビット線と；
前記第１垂直柱及び前記第２垂直柱を前記第１ビット線に接続する第１サブインターコネクションと；
前記第３垂直柱及び前記第４垂直柱を前記第２ビット線に接続する第２サブインターコネクションと、を含む、半導体装置。
【請求項１２】
前記サブインターコネクションの各々が、長軸及び短軸を有し、
前記第１サブインターコネクションが、前記短軸に沿った前記第１方向に突出した第１突出部を有し、
前記第２サブインターコネクションが、前記短軸に沿った前記第１方向の反対方向に突出した第２突出部を含み、
前記長軸が、前記第２方向に延長されている、請求項１１に記載の装置。
【請求項１３】
前記第１サブインターコネクションが、前記第１突出部を介して前記第１ビット線に接続され、前記第２サブインターコネクションが、前記第２突出部を介して前記第２ビット線に接続される、請求項１２に記載の装置。
【請求項１４】
前記選択線、前記サブインターコネクション及び前記ビット線が、基板上に連続して提供され、
前記装置が、
前記第１方向に延長されている第１分離絶縁層であって、前記第１選択線と前記第２選択線との間に提供される第１分離絶縁層、をさらに含む、請求項１２に記載の装置。
【請求項１５】
前記第１突出部が、前記第１分離絶縁層と垂直に重なっている、請求項１４に記載の装置。
【請求項１６】
前記基板と前記選択線との間のセルゲートをさらに含み、
前記垂直柱が、前記セルゲートを貫通しており、前記基板に電気的に接続される、請求項１５に記載の装置。
【請求項１７】
前記第１方向に延長されている第２分離絶縁層であって、前記第２選択線と前記第３選択線との間に提供される、第２分離絶縁層をさらに含み、
前記第１分離絶縁層が、前記基板と接触し、前記第２分離層が、前記セルゲートの上方へ提供される、請求項１６に記載の装置。
【請求項１８】
前記第１突出部が、前記第１分離絶縁層と垂直に重なっており、前記第２突出部が、前記第２分離絶縁層と垂直に重なっている、請求項１７に記載の装置。
【請求項１９】
前記セルゲートと前記垂直柱との間の情報格納要素をさらに含む、請求項１６に記載の装置。
【請求項２０】
前記第１サブインターコネクションが、前記長軸に沿って、前記第２サブインターコネクションよりも、短い長さを有する、請求項１２に記載の装置。
【手続補正書】
【提出日】平成28年9月8日(2016.9.8)
【手続補正１】
【補正対象書類名】特許請求の範囲
【補正対象項目名】全文
【補正方法】変更
【補正の内容】
【特許請求の範囲】
【請求項１】
蓄電装置用電極材料であって、
粒状の活物質と、
前記活物質の表面の一部を覆うコーティング膜と、を有し、
前記コーティング膜は、前記蓄電装置に用いるキャリアイオンを通過させることができ、
前記コーティング膜の膜厚は、前記コーティング膜の膜厚と２５℃における前記コーティング膜の電気抵抗率との積が、２０Ωｍ・ｍ以上となるような厚さを有することを特徴とする蓄電装置用電極材料。
【請求項２】
蓄電装置用電極材料であって、
粒状の活物質と、
前記活物質の表面の一部を覆うコーティング膜と、を有し、
前記コーティング膜は、前記蓄電装置に用いるキャリアイオンを通過させることができ、
前記コーティング膜の膜厚は、前記コーティング膜の膜厚と２５℃における前記コーティング膜の電気抵抗率との積が、２００Ωｍ・ｍ以上となるような厚さを有することを特徴とする蓄電装置用電極材料。
【請求項３】
蓄電装置用電極であって、
集電体と、
前記集電体上に、少なくとも結着剤と複数の粒状の活物質とを含む活物質層と、を有し、
前記活物質の表面の一部はコーティング膜に覆われ、
前記コーティング膜は、前記蓄電装置に用いるキャリアイオンを通過させることができ、
前記コーティング膜の膜厚は、前記コーティング膜の膜厚と２５℃における前記コーティング膜の電気抵抗率との積が、２０Ωｍ・ｍ以上となるような厚さを有することを特徴とする蓄電装置用電極。
【請求項４】
蓄電装置用電極であって、
集電体と、
前記集電体上に、少なくとも結着剤と複数の粒状の活物質とを含む活物質層と、を有し、
前記活物質の表面の一部はコーティング膜に覆われ、
前記コーティング膜は、前記蓄電装置に用いるキャリアイオンを通過させることができ、
前記コーティング膜の膜厚は、前記コーティング膜の膜厚と２５℃における前記コーティング膜の電気抵抗率との積が、２００Ωｍ・ｍ以上となるような厚さを有することを特徴とする蓄電装置用電極。
【請求項５】
請求項３又は４に記載の蓄電装置用電極を有する蓄電装置。
【請求項６】
請求項５に記載の蓄電装置を搭載した電子機器。
【手続補正２】
【補正対象書類名】明細書
【補正対象項目名】０１２３
【補正方法】変更
【補正の内容】
【０１２３】
まず、実施の形態１又は２で説明した、表面にコーティング膜を有する粒子状の正極活物質及び酸化グラフェンを含むスラリーを形成する。次に、正極集電体２５１上に、当該スラリーを塗布した後、還元雰囲気での加熱により還元処理を行って、正極活物質を焼成すると共に、酸化グラフェンに含まれる酸素を脱離させ、グラフェンを形成する。なお、還元処理は加熱による他、電気エネルギーを用いた酸化グラフェンの電気化学的な還元や、触媒を用いた化学的な還元、又はこれらを組み合わせた還元処理によっても、グラフェン２０５を形成することができる。酸化グラフェンに含まれる酸素は全て脱離されず、一部の酸素はグラフェンに残存する場合がある。
【手続補正書】
【提出日】平成28年10月7日(2016.10.7)
【手続補正１】
【補正対象書類名】特許請求の範囲
【補正対象項目名】全文
【補正方法】変更
【補正の内容】
【特許請求の範囲】
【請求項１】
セルあたりｍビットのデータが格納されるメモリブロックで構成された第１メモリ領域と、セルあたりｎビットのデータが格納されるメモリブロックで構成された第２メモリ領域とを含む不揮発性メモリ装置と、
前記不揮発性メモリ装置を制御するように構成されたメモリ制御器と
を含み、
読み出し動作の時に選択された前記第２メモリ領域のメモリブロックが読み出し校正動作の対象として決められた場合、前記メモリ制御器は、前記読み出し校正動作の対象となる第２メモリ領域のメモリブロックの有効データのすべてが前記第１メモリ領域のメモリブロックのうちの少なくとも一つ以上のメモリブロックにプログラムされる時、前記第２メモリ領域のメモリブロックに対する読み出し校正動作を完了したと処理することを特徴とするメモリシステム。
【手続補正書】
【提出日】平成28年9月21日(2016.9.21)
【手続補正１】
【補正対象書類名】明細書
【補正対象項目名】発明の名称
【補正方法】変更
【補正の内容】
【発明の名称】表示装置の駆動方法
【手続補正２】
【補正対象書類名】特許請求の範囲
【補正対象項目名】全文
【補正方法】変更
【補正の内容】
【特許請求の範囲】
【請求項１】
画像を表示する表示面と、操作体が近接又は接触する操作面とを有する表示装置の駆動方法であって、
前記操作面から前記操作体までの垂直方向の距離が第１のしきい値以下となったことを検知するステップと、
前記操作体の第１の座標を取得するステップと、
一定時間後の前記操作体の第２の座標を取得するステップと、
前記第２の座標の前記垂直方向の距離が前記第１のしきい値を超えている場合に、前記第１の座標及び前記第２の座標から前記操作体の水平方向の移動距離を計算するステップと、
前記水平方向の移動距離が第２のしきい値より大きい場合に、画像切り替え信号を出力するステップと、を有することを特徴とする表示装置の駆動方法。
【請求項２】
請求項１において、
第１の駆動回路と、第２の駆動回路と、画素回路と、演算装置とを有し、
前記演算装置は、前記画像切り替え信号に応じた信号を前記第１の駆動回路及び前記第２の駆動回路に出力する機能を有し、
前記第１の駆動回路は、第１の信号を前記画素回路に出力する機能を有し、
前記第２の駆動回路は、前記画素回路を選択する第２の信号を前記画素回路に出力する機能を有し、
前記画素回路は、前記第１の信号に応じて、前記表示面に表示する画像を切り替える機能を有し、
前記第２の駆動回路は、
前記第２の信号を、前記画素回路に１秒間に３０回以上の頻度で出力する第１のモードと、
前記第２の信号を、前記画素回路に１秒間に０．１回未満の頻度で出力する第２のモードを有し、
前記画像切り替え信号が前記第２のモードのときに入力されると、前記第１のモードに切り替わり、前記画素回路に前記第２の信号を１回以上出力することを特徴とする表示装置の駆動方法。
【請求項３】
請求項２において、
前記第２の信号を１回以上出力した後に、前記第２のモードに切り替わることを特徴とする表示装置の駆動方法。
【手続補正書】
【提出日】平成28年9月27日(2016.9.27)
【手続補正１】
【補正対象書類名】特許請求の範囲
【補正対象項目名】全文
【補正方法】変更
【補正の内容】
【特許請求の範囲】
【請求項１】
航空機の電力システムのモデリングのための方法であって、
汎用グラフィック処理ユニット（ＧＰＧＰＵ）ベースのスーパーコンピューティングクラスタを使用し、メモリに格納されたコンピュータ可読命令を実行することにより、
前記電力システムの最初の特性の組を取得し、
前記最初の特性の組に含まれる電気的特性に基づいて、電力エレクトロニクス回路に基づくソルバを使用して電流と電圧の組をモデリングするステップと、
前記最初の特性の組に含まれる少なくとも１つの特性を場に基づくソルバを使用してモデリングするステップであって、前記モデリングが、
前記少なくとも１つの特性のメッシュを開始するステップと、
前記メッシュに少なくとも部分的に基づいて行列を形成するステップと、
疎線形方程式ソルバによって前記行列を解き、前記少なくとも１つの特性の状態を表すステップと、
を含み、前記疎線形方程式ソルバは、有限要素解析と有限差分解析のいずれかを含み、前記開始するステップ、形成するステップ、表すステップのすくなくとも１つのステップが複数のグラフィック処理ユニットに分散される、前記ステップと、
前記電力エレクトロニクス回路に基づくソルバの出力と前記場に基づくソルバの出力とをコレートして、前記電力システムの最終モデルを形成するステップと、
が実行される、方法。
【請求項２】
モデル化されるべき前記電力システムが、電気機械、変圧器、接点、および電力エレクトロニクスのうちの１つである、請求項１記載の方法。
【請求項３】
回路に基づくソルバが、ＤＣ／ＡＣコンバータ又は、ＡＣ／ＡＣコンバータを表す、請求項１または２に記載の方法。
【請求項４】
前記電力システムを仮想的に設計するステップ、テストするステップ、資格認定するステップ、および／または検証するステップをさらに含む請求項１乃至３のいずれかに記載の方法。
【手続補正書】
【提出日】平成28年8月25日(2016.8.25)
【手続補正１】
【補正対象書類名】特許請求の範囲
【補正対象項目名】全文
【補正方法】変更
【補正の内容】
【特許請求の範囲】
【請求項１】
入賞口に設けられた所定の領域を遊技球が通過することにより、遊技者に所定の利益を付与する利益付与手段と、
前記所定の領域に対する遊技球の通過状態に応じたレベルの信号を出力するスイッチ手段と、
前記スイッチ手段により出力される信号に基づいて、予め定められた間隔で繰り返し実行される反復処理により、前記所定の領域を遊技球が通過したか否かを判定する判定手段とを備え、
前記判定手段は、
前記スイッチ手段により出力された信号のレベルが所定の閾値レベルよりも第１方向に位置すると判定する第１判定、又は、当該信号のレベルが当該所定の閾値レベルまたは当該所定の閾値レベルよりも前記第１方向と反対の第２方向に位置すると判定する第２判定を行う信号レベル判定手段と、
前記信号レベル判定手段により、第ｎ（ｎは自然数）回目の反復処理において前記第１判定が行われてから、第ｎ＋１回目の反復処理において前記第２判定が複数回行われると、前記所定の領域を遊技球が通過したと判定する通過判定手段とを有し、
前記信号レベル判定手段は、
１回の反復処理において前記第１判定を行うと、当該反復処理で更なる判定は行わず、
第ｎ回目の反復処理において前記第１判定を行ってから第ｎ＋１回目の反復処理において前記第２判定を行うと、当該反復処理で更に１回の判定を行う、遊技機。
【手続補正２】
【補正対象書類名】明細書
【補正対象項目名】０００２
【補正方法】変更
【補正の内容】
【０００２】
現在、始動口への遊技球の入賞を検出して大当り抽選を行う遊技機が一般的である（例えば、非特許文献１）。
【手続補正３】
【補正対象書類名】明細書
【補正対象項目名】０００４
【補正方法】変更
【補正の内容】
【０００４】
近年、遊技機において、演算処理内容の増大により演算処理の負荷が増大している。このことから、遊技機において実行される主要な演算処理であるタイマ割り込み処理の実行間隔（割り込み間隔）が長くなっている。これに伴って、タイマ割り込み処理において実行される、始動口等を遊技球が通過したことを判定するための処理の実行間隔も長くなっている。そこで、この様な状況においても遊技球の通過の判定を確実に行うことができる遊技機が求められている。
【手続補正４】
【補正対象書類名】明細書
【補正対象項目名】０００５
【補正方法】変更
【補正の内容】
【０００５】
それ故に、本発明の主要な目的は、遊技球の通過判定の精度を向上させることができる遊技機を提供することである。
【手続補正５】
【補正対象書類名】明細書
【補正対象項目名】０００７
【補正方法】変更
【補正の内容】
【０００７】
本発明の一局面に係る遊技機（１）は、
入賞口に設けられた所定の領域を遊技球が通過することにより、遊技者に所定の利益を付与する利益付与手段と、
前記所定の領域に対する遊技球の通過状態に応じたレベルの信号を出力するスイッチ手段（近接スイッチ）と、
前記スイッチ手段により出力される信号に基づいて、予め定められた間隔で繰り返し実行される反復処理（タイマ割込み処理）により、前記所定の領域を遊技球が通過したか否かを判定する判定手段とを備え、
前記判定手段は、
前記スイッチ手段により出力された信号のレベルが所定の閾値レベル（通過判定閾値のレベル）よりも第１方向（ＯＦＦ方向）に位置すると判定する第１判定（ＯＦＦ判定）、又は、当該信号のレベルが当該所定の閾値レベルまたは当該所定の閾値レベルよりも前記第１方向と反対の第２方向（ＯＮ方向）に位置すると判定する第２判定（ＯＮ判定）を行う信号レベル判定手段と、
前記信号レベル判定手段により、第ｎ（ｎは自然数）回目の反復処理において前記第１判定が行われてから、第ｎ＋１回目の反復処理において前記第２判定が複数回行われると、前記所定の領域を遊技球が通過したと判定する通過判定手段とを有し、
前記信号レベル判定手段は、
１回の反復処理において前記第１判定を行うと、当該反復処理で更なる判定は行わず、
第ｎ回目の反復処理において前記第１判定を行ってから第ｎ＋１回目の反復処理において前記第２判定を行うと、当該反復処理で更に１回の判定を行う（図５ご参照）。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】変更
【補正の内容】
【０００９】
本発明によれば、遊技球の通過判定の精度を向上させることができる遊技機を提供することができる。
【手続補正書】
【提出日】平成28年10月14日(2016.10.14)
【手続補正１】
【補正対象書類名】特許請求の範囲
【補正対象項目名】全文
【補正方法】変更
【補正の内容】
【特許請求の範囲】
【請求項１】
検知信号に基づいて、変動表示可能であり、特定条件を満たしたときに、遊技者にとって有利な有利状態に制御可能な遊技機であって、
前記検知信号は、第１検知信号と、第２検知信号と、を含み、
数値データを更新する数値更新手段と、
前記検知信号の出力に基づいて、前記数値更新手段によって更新された数値データを数値データ格納領域に格納する数値データ格納手段と、
前記数値データ格納領域に数値データが格納されたときに状態が変わることで、当該数値データが読み出されるまで、前記数値データ格納手段による新たな数値データの格納が制限される状態を示すフラグと、
前記数値データ格納領域に格納されている数値データを読み出す数値データ読出手段と、
前記数値データ読出手段が読み出した数値データを用いて、前記有利状態に制御するか否かを決定する決定手段と、
前記第１検知信号に基づく前記変動表示であるか前記第２検知信号に基づく前記変動表示であるかに関わらず、前記変動表示の時間を計測するための共通の変動計時手段と、
制御データを記憶した不揮発性記憶手段と、を備え、
前記不揮発性記憶手段の記憶内容が変更されたか否かを検査するセキュリティチェック処理を含む所定処理の実行期間を変化させるか否かを設定可能である、
ことを特徴とする遊技機。
【手続補正２】
【補正対象書類名】明細書
【補正対象項目名】０００８
【補正方法】変更
【補正の内容】
【０００８】
上記目的を達成するため、本発明にかかる遊技機は、
検知信号に基づいて、変動表示可能であり、特定条件を満たしたときに、遊技者にとって有利な有利状態（大当たり遊技状態）に制御可能な遊技機（パチンコ遊技機１）であって、
前記検知信号は、第１検知信号と、第２検知信号と、を含み、
数値データを更新する数値更新手段（乱数生成回路５５３、乱数列変更回路５５５）と、
前記検知信号の出力に基づいて、前記数値更新手段によって更新された数値データを数値データ格納領域（乱数値レジスタ５５９Ａ、５５９Ｂ）に格納する数値データ格納手段（乱数ラッチセレクタ５５８Ａ、５５８Ｂ）と、
前記数値データ格納領域に数値データが格納されたときに状態が変わることで、当該数値データが読み出されるまで、前記数値データ格納手段による新たな数値データの格納が制限される状態を示すフラグ（乱数ラッチフラグ）と、
前記数値データ格納領域に格納されている数値データを読み出す数値データ読出手段（ステップＳ２３２、Ｓ２３４）と、
前記数値データ読出手段が読み出した数値データを用いて、前記有利状態に制御するか否かを決定する決定手段（ステップＳ１１０）と、
前記第１検知信号に基づく前記変動表示であるか前記第２検知信号に基づく前記変動表示であるかに関わらず、前記変動表示の時間を計測するための共通の変動計時手段と、
制御データを記憶した不揮発性記憶手段と、を備え、
前記不揮発性記憶手段の記憶内容が変更されたか否かを検査するセキュリティチェック処理を含む所定処理の実行期間を変化させるか否かを設定可能である（セキュリティ時間設定ＫＳＥＳのビット番号［４−３］）、
ことを特徴とする。
【手続補正書】
【提出日】平成28年10月14日(2016.10.14)
【手続補正１】
【補正対象書類名】特許請求の範囲
【補正対象項目名】全文
【補正方法】変更
【補正の内容】
【特許請求の範囲】
【請求項１】
検知信号に基づいて、変動表示可能であり、特定条件を満たしたときに、遊技者にとって有利な有利状態に制御可能な遊技機であって、
数値データを更新する数値更新手段と、
前記検知信号の出力に基づいて、前記数値更新手段によって更新された数値データを数値データ格納領域に格納する数値データ格納手段と、
前記数値データ格納領域に数値データが格納されたときに状態が変わることで、当該数値データが読み出されるまで、前記数値データ格納手段による新たな数値データの格納が制限される状態を示すフラグと、
前記数値データ格納領域に格納されている数値データを読み出す数値データ読出手段と、
前記数値データ読出手段が読み出した数値データを用いて、前記有利状態に制御するか否かを決定する決定手段と、
電力供給が開始されたときに、数値データの更新動作が開始されるまでの期間を設定する更新開始設定手段と、を備える、
ことを特徴とする遊技機。
【手続補正２】
【補正対象書類名】明細書
【補正対象項目名】０００８
【補正方法】変更
【補正の内容】
【０００８】
上記目的を達成するため、本発明にかかる遊技機は、
検知信号に基づいて、変動表示可能であり、特定条件を満たしたときに、遊技者にとって有利な有利状態（大当たり遊技状態）に制御可能な遊技機（パチンコ遊技機１）であって、
数値データを更新する数値更新手段（乱数生成回路５５３、乱数列変更回路５５５）と、
前記検知信号の出力に基づいて、前記数値更新手段によって更新された数値データを数値データ格納領域（乱数値レジスタ５５９Ａ、５５９Ｂ）に格納する数値データ格納手段（乱数ラッチセレクタ５５８Ａ、５５８Ｂ）と、
前記数値データ格納領域に数値データが格納されたときに状態が変わることで、当該数値データが読み出されるまで、前記数値データ格納手段による新たな数値データの格納が制限される状態を示すフラグ（乱数ラッチフラグ）と、
前記数値データ格納領域に格納されている数値データを読み出す数値データ読出手段（ステップＳ２１８、Ｓ２２１）と、
前記数値データ読出手段が読み出した数値データを用いて、前記有利状態に制御するか否かを決定する決定手段（ステップＳ２４３、Ｓ２４４）と、
電力供給が開始されたときに、数値データの更新動作が開始されるまでの期間を設定する更新開始設定手段と、を備える、
ことを特徴とする。
【手続補正書】
【提出日】平成28年9月23日(2016.9.23)
【手続補正１】
【補正対象書類名】特許請求の範囲
【補正対象項目名】請求項１
【補正方法】変更
【補正の内容】
【請求項１】
複数種類の図柄を表示した複数のリールと、
各前記リールに対応して設けられ、前記リールを停止させるときに遊技者が操作する複数のストップスイッチと、
役の抽選を行う役抽選手段と、
前記リールの回転開始命令を受けたときに前記リールの回転を開始し、前記ストップスイッチが操作されたときに、前記役抽選手段による抽選結果に基づいて、前記リールを停止制御するリール制御手段と
を備えるスロットマシンにおいて、
前記役抽選手段による抽選結果として、小役Ａを含む第１当選と、第１当選と異なる当選であって小役Ａを含む第２当選とを有し、
前記役抽選手段で第１当選となる確率と第２当選となる確率とは同一であり、
前記リール制御手段は、
前記役抽選手段で第１当選となった遊技において、前記ストップスイッチが押し順Ｔ１で操作されたときは、前記ストップスイッチの操作タイミングにかかわらず小役Ａに対応する図柄の組合せを有効ラインに停止させ、
前記役抽選手段で第１当選となった遊技において、前記ストップスイッチが押し順Ｔ１と異なる押し順Ｔ２で操作されたときは、前記ストップスイッチの操作タイミングに応じて、小役Ａと異なる小役に対応する図柄の組合せが有効ラインに停止するときと停止しないときとを有するように前記リールを停止制御し、
前記役抽選手段で第２当選となった遊技において、前記ストップスイッチが押し順Ｔ２で操作されたときは、前記ストップスイッチの操作タイミングにかかわらず小役Ａに対応する図柄の組合せを有効ラインに停止させ、
前記役抽選手段で第２当選となった遊技において、前記ストップスイッチが押し順Ｔ１で操作されたときは、前記ストップスイッチの操作タイミングに応じて、小役Ａと異なる小役に対応する図柄の組合せが有効ラインに停止するときと停止しないときとを有するように前記リールを停止制御する
ことを特徴とするスロットマシン。
【手続補正２】
【補正対象書類名】明細書
【補正対象項目名】００１３
【補正方法】変更
【補正の内容】
【００１３】
本発明は、以下の解決手段によって上述の課題を解決する。
本発明は、
複数種類の図柄を表示した複数のリール（３１）と、
各前記リールに対応して設けられ、前記リールを停止させるときに遊技者が操作する複数のストップスイッチ（４２）と、
役の抽選を行う役抽選手段（６１）と、
前記リールの回転開始命令を受けたときに前記リールの回転を開始し、前記ストップスイッチが操作されたときに、前記役抽選手段による抽選結果に基づいて、前記リールを停止制御するリール制御手段（６４）と
を備えるスロットマシンにおいて、
前記役抽選手段による抽選結果として、小役Ａ（小役１Ａ〜小役１Ｈ）を含む第１当選（たとえば、小役重複当選２）と、第１当選と異なる当選であって小役Ａを含む第２当選（たとえば、小役重複当選３）とを有し、
前記役抽選手段で第１当選となる確率と第２当選となる確率とは同一（非特別遊技中は、いずれも当選確率が「１／１５」、特別遊技中は、いずれも当選確率が「１／６５５３６」）であり、
前記リール制御手段は、
前記役抽選手段で第１当選となった遊技において、前記ストップスイッチが押し順Ｔ１（左第一停止）で操作されたときは、前記ストップスイッチの操作タイミングにかかわらず小役Ａに対応する図柄の組合せを有効ラインに停止させ、
前記役抽選手段で第１当選となった遊技において、前記ストップスイッチが押し順Ｔ１と異なる押し順Ｔ２（中第一停止）で操作されたときは、前記ストップスイッチの操作タイミングに応じて、小役Ａと異なる小役（小役３Ｃ）に対応する図柄の組合せが有効ラインに停止するときと停止しないときとを有するように前記リールを停止制御し、
前記役抽選手段で第２当選となった遊技において、前記ストップスイッチが押し順Ｔ２で操作されたときは、前記ストップスイッチの操作タイミングにかかわらず小役Ａに対応する図柄の組合せを有効ラインに停止させ、
前記役抽選手段で第２当選となった遊技において、前記ストップスイッチが押し順Ｔ１で操作されたときは、前記ストップスイッチの操作タイミングに応じて、小役Ａと異なる小役（小役２Ｄ）に対応する図柄の組合せが有効ラインに停止するときと停止しないときとを有するように前記リールを停止制御する
ことを特徴とする。
【手続補正書】
【提出日】平成28年7月12日(2016.7.12)
【手続補正１】
【補正対象書類名】特許請求の範囲
【補正対象項目名】全文
【補正方法】変更
【補正の内容】
【特許請求の範囲】
【請求項１】
マルチキャリア光通信システムにおけるチャネル間隔推定装置であって、
受信信号の周波数スペクトル情報に基づいて、周波数スペクトル間隙幅を測定するための測定ユニット；及び
予め設定された、チャネル間隔と周波数スペクトル間隙幅との間の対応関係に基づいて、前記周波数スペクトル間隙幅によりチャネル間隔を確定するための確定ユニットを含む、装置。
【請求項２】
請求項1に記載の装置であって、
前記測定ユニットは、
前記受信信号を得るための取得モジュール；
前記取得モジュールが得た前記受信信号から、前記周波数スペクトル情報を抽出するための抽出モジュール；及び
予め設定された参考パワーレベルに基づいて参考パワーを確定し、前記受信信号の前記周波数スペクトル情報中の中央チャネルの左側又は右側の間隙において前記参考パワーに対応する二つの周波数点の周波数の差を前記周波数スペクトル間隙幅とするための測定モジュールを含む、装置。
【請求項３】
請求項2に記載の装置であって、
前記抽出モジュールは、
前記受信信号を所定数量のセクションに分割するための直並列変換モジュール；
各セクションの信号に対してフーリエ変換を行い、各セクションの信号の周波数スペクトルを得るためのフーリエ変換モジュール；及び
各セクションの信号の周波数スペクトルのモジュラー平方を計算し、各セクションの信号のパワースペクトルを取得し、そして、全てのセクションの信号のパワースペクトルに対して平均又は加重平均を行い、全てのセクションの信号の平均パワースペクトルを前記周波数スペクトル情報とするための計算モジュールを含む、装置。
【請求項４】
請求項3に記載の装置であって、
前記抽出モジュールは、更に、
各セクションの信号の周波数スペクトルに対してウィンドウ関数に基づく畳み込み演算を行うための時間領域加ウィンドウモジュールを含む、装置。
【請求項５】
請求項2に記載の装置であって、
前記測定ユニットは、更に、
入力信号に対して周波数スペクトル復元を行い、周波数スペクトル復元された信号を次の処理の入力信号とするための復元モジュールを含む、装置。
【請求項６】
請求項5に記載の装置であって、
前記復元モジュールは、前記入力信号の周波数スペクトルの各周波数点の値に修正係数を乗算することにより、前記入力信号に対して周波数スペクトル復元を行う、装置。
【請求項７】
請求項6に記載の装置であって、
前記修正係数は、受信機の各周波数点におけるレスポンスの値の逆数である、装置。
【請求項８】
請求項2に記載の装置であって、
前記測定ユニットは、更に、
入力信号のノイズフロアの値を確定し、前記入力信号の各周波数点において前記イズフロアの値を差し引き、ノイズ除去後の信号を次の処理の入力信号とするための除去モジュールを含む、装置。
【請求項９】
請求項1に記載の装置であって、更に、
隣接受信機が送信した参考情報を受信し、前記参考情報に基づいて前記周波数スペクトル間隙幅に対して調整を行うためのジョイント処理ユニットを含む、装置。
【請求項１０】
チャネル間隔推定方法であって、
受信信号の周波数スペクトル情報に基づいて周波数スペクトル間隙幅を測定し；及び
予め設定されたチャネル間隔と周波数スペクトル間隙幅との間の対応関係に基づいて、前記周波数スペクトル間隙幅を用いてチャネル間隔を確定することを含む、方法。
【請求項１１】
請求項10に記載の方法であって、
受信信号の周波数スペクトル情報に基づいて周波数スペクトル間隙幅を測定することは、
受信信号を取得し；
取得した受信信号から周波数スペクトル情報を抽出し；及び
予め設定された参考パワーレベルに基づいて参考パワーを確定し、前記周波数スペクトル情報中の中央チャネルの左側又は右側の間隙において前記参考パワーに対応する二つの周波数点の周波数の差を周波数スペクトル間隙幅とすることを含む、方法。
【請求項１２】
請求項11に記載の方法であって、
取得した受信信号から周波数スペクトル情報を抽出することは、
前記受信信号を所定数量のセクションに分割し；
各セクションの信号に対してフーリエ変換を行い、各セクションの信号の周波数スペクトルを取得し；及び
各セクションの信号の周波数スペクトルのモジュラー平方を計算し、各セクションの信号のパワースペクトルを取得し、そして、全てのセクションの信号のパワースペクトルに対して平均又は加重平均を行い、全てのセクションの信号の平均パワースペクトルを前記周波数スペクトル情報とすることを含む、方法。
【請求項１３】
請求項12に記載の方法であって、
前記受信信号を所定数量のセクションに分割した後に、前記方法は、更に、
各セクションの信号の周波数スペクトルに対してウィンドウ関数による畳み込み演算を行うことを含む、方法。
【請求項１４】
請求項11に記載の方法であって、
受信信号の周波数スペクトル情報に基づいて周波数スペクトル間隙幅を測定することは、更に、
入力信号に対して周波数スペクトル復元を行い、周波数スペクトル復元された信号を次の処理の入力信号とすることを含む、方法。
【請求項１５】
請求項14に記載の方法であって、
前記入力信号の周波数スペクトルの各周波数点の値に修正係数を乗算することで、前記入力信号に対して周波数スペクトル復元を行う、方法。
【請求項１６】
請求項15に記載の方法であって、
前記修正係数は、受信機の各周波数点におけるレスポンスの値の逆数である、方法。
【請求項１７】
請求項11に記載の方法であって、
受信信号の周波数スペクトル情報に基づいて周波数スペクトル間隙幅を測定することは、更に、
入力信号のノイズフロアを確定し、前記入力信号の各周波数点において前記イズフロア値を差し引き、ノイズ除去後の信号を次の処理の入力信号として得ることを含む、方法。
【請求項１８】
請求項10に記載の方法であって、更に、
隣接受信機が送信した参考情報を受信し、前記参考情報に基づいて前記周波数スペクトル間隙幅に対して調整を行うことを含む、方法。
【請求項１９】
コヒーレント光受信機であって、
前記コヒーレント光受信機は、チャネル間隔推定装置を含み、
前記チャネル間隔推定装置は、
受信信号の周波数スペクトル情報に基づいて周波数スペクトル間隙幅を測定し；及び
予め設定されたチャネル間隔と周波数スペクトル間隙幅との間の対応関係に基づいて、前記周波数スペクトル間隙幅を用いてチャネル間隔を確定するように構成される、コヒーレント光受信機。
【手続補正書】
【提出日】平成28年7月12日(2016.7.12)
【手続補正１】
【補正対象書類名】特許請求の範囲
【補正対象項目名】全文
【補正方法】変更
【補正の内容】
【特許請求の範囲】
【請求項１】
マルチキャリア通信システムにおけるビット割り当て装置であって、
予め設定されたシステムが許容できる最大クリッピングノイズの確率に基づいて、信号対雑音比（ＳＮＲ）マージンを決定する決定手段と、
前記ＳＮＲマージンに基づいて、マルチキャリア変調信号のために各サブキャリアにおける変調ビット数及び電力を割り当てる割り当て手段と、を含む、ビット割り当て装置。
【請求項２】
前記決定手段は、
前記マルチキャリア変調信号のために割り当てられた各サブキャリアにおける変調ビット数及び電力に基づいて時間領域信号の波形を取得し、前記時間領域信号の波形に対してクリッピング操作を行う波形処理モジュールと、
予め設定された時間ウィンドウ内に、前記時間領域信号の波形のクリッピングノイズの電力を算出し、クリッピングノイズの電力の確率分布を計数する計数モジュールと、
予め設定されたシステムが許容できる最大クリッピングノイズの確率に基づいて、前記確率分布から前記最大クリッピングノイズの確率に対応するクリッピングノイズの電力を読み取って、前記ＳＮＲマージンとする読み取りモジュールと、を含む、請求項１に記載のビット割り当て装置。
【請求項３】
前記割り当て手段は、
読み取られた前記クリッピングノイズの電力及び各サブキャリアの原ＳＮＲに基づいて、各サブキャリアの新しいＳＮＲを決定する決定モジュールと、
各サブキャリアの新しいＳＮＲ及び通信システムの速度に対応するビット数に基づいて、各サブキャリアのために新しいビット数及び電力を割り当てる割り当てモジュールと、を含む、請求項２に記載のビット割り当て装置。
【請求項４】
前記各サブキャリアの新しいＳＮＲは、
【数１】
2016144209.tif 000001
となり、ｉはサブキャリアの番号であり、ｉ＝１，２，…，ｋ、ｋはサブキャリアの数であり、Ｐｃｌｉｐは前記ＳＮＲマージンであり、ＳＮＲｏ，ｉはｉ番目のサブキャリアの原ＳＮＲであり、ＳＮＲｍ，ｉはｉ番目のサブキャリアの新しいＳＮＲであり、αはＳＮＲマージンの補正係数である、請求項３に記載のビット割り当て装置。
【請求項５】
マルチキャリア通信システムにおける送信機であって、前記送信機はビット割り当て装置を含み、
前記ビット割り当て装置は、
予め設定されたシステムが許容できる最大クリッピングノイズの確率に基づいて、信号対雑音比（ＳＮＲ）マージンを決定し、
前記ＳＮＲマージンに基づいて、マルチキャリア変調信号のために各サブキャリアにおける変調ビット数及び電力を割り当てる、送信機。
【請求項６】
前記ビット割り当て装置は、
前記マルチキャリア変調信号のために割り当てられた各サブキャリアにおける変調ビット数及び電力に基づいて時間領域信号の波形を取得し、前記時間領域信号の波形に対してクリッピング操作を行い、
予め設定された時間ウィンドウ内に、前記時間領域信号の波形のクリッピングノイズの電力を算出し、クリッピングノイズの電力の確率分布を計数し、
予め設定されたシステムが許容できる最大クリッピングノイズの確率に基づいて、前記確率分布から前記最大クリッピングノイズの確率に対応するクリッピングノイズの電力を読み取って、前記ＳＮＲマージンとする、請求項５に記載の送信機。
【請求項７】
前記ビット割り当て装置は、
読み取られた前記クリッピングノイズの電力及び各サブキャリアの原ＳＮＲに基づいて、各サブキャリアの新しいＳＮＲを決定し、
各サブキャリアの新しいＳＮＲ及び通信システムの速度に対応するビット数に基づいて、各サブキャリアのために新しいビット数及び電力を割り当てる、請求項６に記載の送信機。
【請求項８】
前記各サブキャリアの新しいＳＮＲは、
【数２】
2016144209.tif 000002
となり、ｉはサブキャリアの番号であり、ｉ＝１，２，…，ｋ、ｋはサブキャリアの数であり、Ｐｃｌｉｐは前記ＳＮＲマージンであり、ＳＮＲｏ，ｉはｉ番目のサブキャリアの原ＳＮＲであり、ＳＮＲｍ，ｉはｉ番目のサブキャリアの新しいＳＮＲであり、αはＳＮＲマージンの補正係数である、請求項７に記載の送信機。
【請求項９】
マルチキャリア通信システムにおける受信機であって、前記受信機はビット割り当て装置を含み、
前記ビット割り当て装置は、
予め設定されたシステムが許容できる最大クリッピングノイズの確率に基づいて、信号対雑音比（ＳＮＲ）マージンを決定し、
前記ＳＮＲマージンに基づいて、マルチキャリア変調信号のために各サブキャリアにおける変調ビット数及び電力を割り当てる、受信機。
【請求項１０】
前記ビット割り当て装置は、
前記マルチキャリア変調信号のために割り当てられた各サブキャリアにおける変調ビット数及び電力に基づいて時間領域信号の波形を取得し、前記時間領域信号の波形に対してクリッピング操作を行い、
予め設定された時間ウィンドウ内に、前記時間領域信号の波形のクリッピングノイズの電力を算出し、クリッピングノイズの電力の確率分布を計数し、
予め設定されたシステムが許容できる最大クリッピングノイズの確率に基づいて、前記確率分布から前記最大クリッピングノイズの確率に対応するクリッピングノイズの電力を読み取って、前記ＳＮＲマージンとする、請求項９に記載の受信機。
【請求項１１】
前記ビット割り当て装置は、
読み取られた前記クリッピングノイズの電力及び各サブキャリアの原ＳＮＲに基づいて、各サブキャリアの新しいＳＮＲを決定し、
各サブキャリアの新しいＳＮＲ及び通信システムの速度に対応するビット数に基づいて、各サブキャリアのために新しいビット数及び電力を割り当てる、請求項１０に記載の受信機。
【請求項１２】
前記各サブキャリアの新しいＳＮＲは、
【数３】
2016144209.tif 000003
となり、ｉはサブキャリアの番号であり、ｉ＝１，２，…，ｋ、ｋはサブキャリアの数であり、Ｐｃｌｉｐは前記ＳＮＲマージンであり、ＳＮＲｏ，ｉはｉ番目のサブキャリアの原ＳＮＲであり、ＳＮＲｍ，ｉはｉ番目のサブキャリアの新しいＳＮＲであり、αはＳＮＲマージンの補正係数である、請求項１１に記載の受信機。
【手続補正書】
【提出日】平成28年8月9日(2016.8.9)
【手続補正１】
【補正対象書類名】特許請求の範囲
【補正対象項目名】全文
【補正方法】変更
【補正の内容】
【特許請求の範囲】
【請求項１】
遊技者により操作可能な操作手段と、
前記操作手段が動作する動力を付与する動力付与手段と、
前記操作手段に対する操作を要する操作演出を実行する操作演出実行手段と、を備え、
前記操作演出実行手段は、
前記動力付与手段により動力が付与されていない前記操作手段に対する操作を要する通常操作演出と、前記動力付与手段により動力が付与された前記操作手段に対する操作を要する特殊操作演出とを実行可能であり、
前記特殊操作演出を実行する場合に、前記動力付与手段により動力が付与されるのに先立ち、前記操作手段の動作についての事前通知を行う事前通知手段と、
前記動力付与手段により動力が付与された前記操作手段に対する操作指示を、前記事前通知後に行う動作後操作指示手段と、
を有することを特徴とする遊技機。
【手続補正２】
【補正対象書類名】明細書
【補正対象項目名】０００２
【補正方法】削除
【補正の内容】
【手続補正３】
【補正対象書類名】明細書
【補正対象項目名】０００３
【補正方法】削除
【補正の内容】
【手続補正４】
【補正対象書類名】明細書
【補正対象項目名】０００４
【補正方法】変更
【補正の内容】
【０００４】
パチンコ機等の遊技機では、遊技機への興趣を高める工夫として、遊技者に遊技機に設けられた操作ボタンの操作を求め、あたかも操作の結果として利益が付与されたかのような演出を行うことで、遊技者の遊技への積極的関与を求めることが知られている（例えば、特許文献１参照）。
【手続補正５】
【補正対象書類名】明細書
【補正対象項目名】０００６
【補正方法】削除
【補正の内容】
【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】変更
【補正の内容】
【０００８】
しかしながら、従来と同様の構成では、徐々に演出への期待感が薄れ、ひいては演出への感心自体が低下してしまう。
【手続補正８】
【補正対象書類名】明細書
【補正対象項目名】０００９
【補正方法】変更
【補正の内容】
【０００９】
本発明は、以上のような従来技術の課題に基づいてなされたものであり、その目的は、演出への興味を惹き付け、遊技への興趣心を向上させることのできる遊技機を提供することにある。
【手続補正９】
【補正対象書類名】明細書
【補正対象項目名】００１０
【補正方法】変更
【補正の内容】
【００１０】
上記課題を解決するため、本発明は以下のような構成を有する。
遊技者により操作可能な操作手段と、
前記操作手段が動作する動力を付与する動力付与手段と、
前記操作手段に対する操作を要する操作演出を実行する操作演出実行手段と、を備え、
前記操作演出実行手段は、
前記動力付与手段により動力が付与されていない前記操作手段に対する操作を要する通常操作演出と、前記動力付与手段により動力が付与された前記操作手段に対する操作を要する特殊操作演出とを実行可能であり、
前記特殊操作演出を実行する場合に、前記動力付与手段により動力が付与されるのに先立ち、前記操作手段の動作についての事前通知を行う事前通知手段と、
前記動力付与手段により動力が付与された前記操作手段に対する操作指示を、前記事前通知後に行う動作後操作指示手段と、
を有することを特徴とする遊技機。
【手続補正１０】
【補正対象書類名】明細書
【補正対象項目名】００１１
【補正方法】変更
【補正の内容】
【００１１】
以上のような本発明によれば、演出への興味を惹き付けることが可能となる。
【手続補正書】
【提出日】平成28年9月29日(2016.9.29)
【手続補正１】
【補正対象書類名】明細書
【補正対象項目名】０００８
【補正方法】変更
【補正の内容】
【０００８】
請求項１に係る遊技機は、
遊技機に対する不正な行為による異常を検出するために所定位置に配置された異常検出センサ部と、
前記異常検出センサ部が第１の状態のときは第１の電圧を出力する一方、前記異常検出センサ部が第２の状態のときは前記第１の電圧よりも低い電圧である第２の電圧を出力する電圧出力部と、
前記電圧出力部から出力された前記第１の電圧または前記第２の電圧に対応して検出信号の出力のオンオフを切り換える検知回路部と、を備え、
前記検出センサ部と前記電圧出力部とがコネクタ部材により電気的に接続され、
前記コネクタ部材に起因する前記第２の電圧よりも高く前記第１の電圧よりも低い所定の電圧が印加されても、前記検知回路部に対する前記所定の電圧による作用を回避する電圧かさ上げ部が備えられ、
同一の基板上に、前記電圧かさ上げ部と、前記電圧出力部と前記検知回路部との少なくとも一方が配置されている、ことを特徴とする［手段１］。
【手続補正２】
【補正対象書類名】特許請求の範囲
【補正対象項目名】全文
【補正方法】変更
【補正の内容】
【特許請求の範囲】
【請求項１】
遊技機に対する不正な行為による異常を検出するために所定位置に配置された異常検出センサ部と、
前記異常検出センサ部が第１の状態のときは第１の電圧を出力する一方、前記異常検出センサ部が第２の状態のときは前記第１の電圧よりも低い電圧である第２の電圧を出力する電圧出力部と、
前記電圧出力部から出力された前記第１の電圧または前記第２の電圧に対応して検出信号の出力のオンオフを切り換える検知回路部と、を備え、
前記検出センサ部と前記電圧出力部とがコネクタ部材により電気的に接続され、
前記コネクタ部材に起因する前記第２の電圧よりも高く前記第１の電圧よりも低い所定の電圧が印加されても、前記検知回路部に対する前記所定の電圧による作用を回避する電圧かさ上げ部が備えられ、
同一の基板上に、前記電圧かさ上げ部と、前記電圧出力部と前記検知回路部との少なくとも一方が配置されている、
ことを特徴とする遊技機。
【手続補正書】
【提出日】平成28年6月30日(2016.6.30)
【手続補正１】
【補正対象書類名】特許請求の範囲
【補正対象項目名】全文
【補正方法】変更
【補正の内容】
【特許請求の範囲】
【請求項１】
２次元マトリクス状に配列された複数の画素を有して照射された放射線を画像信号に変換する放射線検出パネルを有する複数の放射線撮像装置を、夫々の一部が放射線照射側から見て空間的に重なるように位置決めして保持する保持部を有し、且つ、前記複数の放射線撮像装置が内部に配置された筐体を有し、前記複数の放射線撮像装置からの夫々の画像信号に基づいて放射線画像を取得する放射線撮像システムにおいて、
前記保持部は、前記筺体の内部に配置され、且つ、前記放射線照射側から見て前記複数の放射線撮像装置の有効画素領域以外の領域で前記複数の放射線撮像装置を保持するように構成されていることを特徴とする放射線撮像システム。
【請求項２】
前記保持部は、前記複数の放射線撮像装置の有効画素領域の放射線照射側以外の箇所のみに配置されていることを特徴とする請求項１に記載の放射線撮像システム。
【請求項３】
前記複数の放射線撮像装置は、第１の放射線撮像装置と、第２の放射線撮像装置と、を有し、
前記保持部は、前記第１の放射線撮像装置を、前記放射線照射側から見て前記第２の放射線撮像装置に一部が空間的に重なるように、且つ、前記第１の放射線撮像装置が前記第２の放射線撮像装置の上側に配置されるように位置決めして保持することを特徴とする請求項１または２に記載の放射線撮像システム。
【請求項４】
前記第２の放射線撮像装置を保持する保持部の一部は、前記第１の放射線撮像装置の有効画素領域の前記放射線照射側とは反対側に配置されることを特徴とする請求項３に記載の放射線撮像システム。
【請求項５】
前記第１の放射線撮像装置は、前記保持部のうち第１の保持部と第２の保持部によって保持されており、
前記第１の保持部は、前記放射線照射側から見て前記第１の放射線撮像装置の横方向の位置決めをするように、前記第１の放射線撮像装置の横方向の辺部を保持し、
前記第２の保持部は、前記第１の放射線撮像装置の下側部分を保持することを特徴とする請求項４に記載の放射線撮像システム。
【請求項６】
前記第２の放射線撮像装置は、前記保持部のうち第３の保持部と第４の保持部と第５の保持部によって保持されており、
前記第３の保持部は、前記第１の放射線撮像装置の有効画素領域の放射線照射側とは反対側で、前記第２の放射線撮像装置の有効画素領域よりも上側のみに配され、
前記第４の保持部は、前記第３の放射線撮像装置の有効画素領域の放射線照射側とは反対側で、前記第２の放射線撮像装置の有効画素領域よりも下側のみに配され、
前記第５の保持部は、前記第２の放射線撮像装置の有効画素領域よりも横方向の外側のみに配されていることを特徴とする請求項５に記載の放射線撮像システム。
【請求項７】
前記複数の放射線撮像装置は、第３の放射線撮像装置を更に有し、
前記保持部は、前記第３の放射線撮像装置を、前記放射線照射側から見て前記第２の放射線撮像装置に一部が空間的に重なるように、且つ、前記第３の放射線撮像装置が前記第２の放射線撮像装置の下側に配置されるように位置決めして保持し、
前記第３の放射線撮像装置は、前記保持部のうち第６の保持部と第７の保持部によって保持されており、
前記第６の保持部は、前記第３の放射線撮像装置の有効画素領域よりも横方向の外側のみに配され、
前記第７の保持部は、前記第３の放射線撮像装置の有効画素領域よりも下側のみに配されていることを特徴とする請求項６に記載の放射線撮像システム。
【請求項８】
前記保持部は、前記第２の放射線撮像装置を、放射線照射側から見て前記第１の放射線撮像装置に空間的に重なるように配置を変更して位置決めが可能な構成であることを特徴とする請求項３〜７のいずれか１項に記載の放射線撮像システム。
【請求項９】
前記保持部は、前記複数の放射線撮像装置の放射線入射面と平行な面内で回転可能に設けられていることを特徴とする請求項８に記載の放射線撮像システム。
【請求項１０】
前記筐体は、散乱線を除去するグリッドを有し、
前記グリッドは、複数のグリッドを長手方向に繋ぎ合わせた繋ぎ合わせ部を有し、前記繋ぎ合わせ部の位置が前記複数の放射線撮像装置が空間的に重なる領域に対して空間的に重なるように配置されていることを特徴とする請求項１〜９のいずれか１項に記載の放射線撮像システム。
【請求項１１】
前記筐体は、前記複数の放射線撮像装置の夫々が放射線照射側から見て空間的に重なる位置が外観から識別可能な指標を有することを特徴とする請求項１〜１０のいずれか１項に記載の放射線撮像システム
【請求項１２】
前記筐体は、所定の放射線源の位置において前記複数の放射線撮像装置の前記有効画素領域に対応した有効撮影領域が外観から識別可能な指標を有することを特徴とする請求項１〜１１のいずれか１項に記載の放射線撮像システム。
【請求項１３】
前記筐体は、前記複数の放射線撮像装置のそれぞれの状態を識別可能に表示する表示部を有することを特徴とする請求項１〜１２のいずれか１項に記載の放射線撮像システム。
【請求項１４】
前記複数の放射線撮像装置のうち、放射線照射側から見て、第２の放射線撮像装置よりも手前に配置される第１の放射線撮像装置は、前記放射線検出パネルの背面に放射線遮蔽部材を有し、
前記放射線遮蔽部材は、前記第２の放射線撮像装置の有効画素領域と空間的に重ならないように配置されることを特徴とする請求項３〜１３のいずれか１項に記載の放射線撮像システム。
【請求項１５】
前記放射線遮蔽部材は、前記放射線照射側から見て、前記放射線遮蔽部材が配置された放射線撮像装置における放射線検出パネルの有効画素領域と同じかそれよりも内側の領域に配置されていることを特徴とする請求項１４に記載の放射線撮像システム。
【手続補正２】
【補正対象書類名】明細書
【補正対象項目名】０００６
【補正方法】変更
【補正の内容】
【０００６】
本発明の放射線撮像システムは、２次元マトリクス状に配列された複数の画素を有して照射された放射線を画像信号に変換する放射線検出パネルを有する複数の放射線撮像装置を、夫々の一部が放射線照射側から見て空間的に重なるように位置決めして保持する保持部を有して前記複数の放射線撮像装置が内部に配置された筺体を有し、前記複数の放射線撮像装置からの夫々の画像信号に基づいて放射線画像を取得する放射線撮像システムにおいて、前記保持部は、前記筺体の内部に配置され、且つ、前記放射線照射側から見て前記複数の放射線撮像装置の有効画素領域以外で前記複数の放射線撮像装置を保持するように構成されていることを特徴とする。